Podtech/llm-jp-corpus-v4-ja_patent huggingface dataset:
(57)【要約】      （修正有）【課題】従来のクルルまごまごは、球状体のついた布が固定であったため、なめらかさが足りなかった。【解決手段】２カ所に穴をあけた球状体と布との取り付け方法を特殊な結び方にしたので、より布と球状体のすべりがなめらかに動き、そのことで血行がよくなる。【選択図】図４
2008023308.tif 000002
【特許請求の範囲】
【発明の詳細な説明】
【発明の詳細な説明】
球状体と布を固定した製品を球状体とやわらかい布の取り付け方結び方によって球状体がくるくる回転するようにしたクルルまごまご
【技術分野】
【０００１】本発明は、一般家庭用、介護施設、他多目的に使用可能である。
【背景技術】
【０００２】従来の球状体がついた布（型いろいろ）素材（いろいろ）は固定又は止めてあったのですべりがスムーズ動かなかった。しかし今回の球状体と布（型いろいろ）素材（いろいろ）の取り付け方法を工夫することにより球状体がより一層なめらかに、スムーズにすべる。その事により、肌への密着度が安定するので、つぼを刺激することになり、血行がよく、心地よい気持ちになる。リラックス（心がいやされる）する。
【発明の開示】
【発明が解決しようとする課題】球状体が固定してあったため
【課題を解決するための手段】球状体と布との取り付け方、結び方によりくるくる廻りうごく（回転する）
【発明の効果】血行がよくなり、リラックスして心がいやされる。
【発明を実施するための最良の形態】２ヶ所に穴をあけた球状体を布に取り付け特殊な方法での結び方により球状体がくるくる回転する
【図面の簡単な説明】
【図１】布（型いろいろ）素材（いろいろ）
【図２】球状体
【図３】布と球状体の配置
【図４】布と球状体との結び方、巻き方
【図１】
2008023308.tif 000003
【図２】
2008023308.tif 000004
【図３】
2008023308.tif 000005
【図４】
2008023308.tif 000006
【手続補正書】
【提出日】平成18年11月24日(2006.11.24)
【手続補正１】
【補正対象書類名】特許請求の範囲
【補正対象項目名】全文
【補正方法】変更
【補正の内容】
【特許請求の範囲】
【請求項１】
布本体となる手袋と布の内面に（球状体）を特殊な糸の結び方、取り付けにより押圧的な刺激を与えるマッサージ手袋、布。
(57)【要約】【課題】本発明は、簡易に差す量を調節できることを目的とする醤油差しである。従来の醤油差しはごく少量醤油を差したい場合に難しいが、差す量を一滴ずつから比較的大量まで自在に簡易な操作で調節できる醤油差しを提供する。【手段】容器蓋天井部の中央付近に外部通気孔口を設ける。蓋天井部に厚みをもたせ、外部通気孔口から斜め後方に向けて通気孔を設ける。内部通気孔口は注ぎ口と反対方向端に設ける。【選択図】図３
2008023285.tif 000002
【特許請求の範囲】
【請求項１】
容器蓋天井部に３ｍｍ〜２０ｍｍ程度の厚みを有し、蓋天井中央付近から蓋内部注ぎ口と反対方向端に向けて、斜めに通気孔を設けた、差す量を調節できる醤油差し。
【発明の詳細な説明】
【技術分野】
【０００１】本発明は、醤油を差す際、自在に差す量を調節できる醤油差しに関するものである。
【背景技術】
【０００２】従来の醤油差しで、ごく少量醤油を差したい時、後方にある通気孔を指でおさえ、一滴ずつ差すなどの事がなされている。又近年醤油差しの蓋上部に設けられたボタンを押すと、一滴醤油が落ちるしくみの製品も出回っている。
【発明の開示】
【発明が解決しようとする課題】
【０００３】従来の醤油差しで、ごく少量、醤油を差したい時、背景技術に記載のように後方にある通気孔を指でおさえ、容器内の通気をとめることによる、真空の原理を利用することにより、容器内の醤油の流出を止め、一滴ずつ差すことがなされているが、この方法は、通気孔が後方にあるため、指を不自然に曲げねばならず不具合である。又、蓋上部に設けられたボタンを押すと、醤油が一滴落ちるしくみの醤油差しは、醤油を比較的大量小皿などに取りたい時は、対応しずらい。
本発明は以上の問題点を解決し、指で簡易に操作できて醤油を一滴ずつでも比較的大量にも自在に差せる醤油差しを提供することを目的とする。
【課題を解決するための手段】
【０００４】容器蓋天井部の中央付近に外部通気孔口を設ける。蓋天井部に厚みをもたせ、外部通気口から斜め後方に向けて通気孔を設ける。
内部通気孔口は、注ぎ口と反対方向端に設ける。
本発明は以上の構成によりなる、差す量を調節できる醤油差しである。
【発明の効果】
【０００５】本発明を使用することにより、簡易に、用途に応じて醤油を差す量を調節でき便利である。特に醤油を一滴ずつ落したいときは便利である。又、差す量を調節するための外部通気孔口が蓋天井部にあるので、指で押さえやすい利点がある。又、内部通気孔口が、注ぎ口の反対端にあるため通気孔から醤油の逆流はない。
【発明を実施するための最良の形態】
【０００６】以下、本発明の実施の形態を説明する。
本発明は、例えばポリプロピレンなどのプラスチック基材、ガラス、木、陶磁器など醤油差しに適宜な基材により構成される。【０００７】容器蓋部２に蓋天井厚み部６を設ける。厚みは３ｍｍ〜２０ｍｍ程度とする。蓋天井部中央付近に、外部通気孔口３を設ける。そこから注ぎ口４から反対方向へ斜めに通気孔８を設け、注ぎ口４から反対方向端に、内部通気孔口７を設ける。【０００８】通気孔８の直径は０．５ｍｍ〜５ｍｍ程度とする。容器本体部１や容器蓋部２の大きさ、形状は任意に構成できるものとする。容器蓋部２と容器本体部１は、蓋ネジ部９と本体ネジ部１０により着脱可能とする。
本発明は以上の構成によりなる。【０００９】本発明を使用する場合は、醤油５を比較的多めに差したい時は、通常通り容器本体部１を持ち、容器を傾け醤油５を差す。醤油５をごく少量又は一滴ずつ落としたい時は、あらかじめ外部通気孔口３を指で押さえ、容器内部の通気を止め、真空の原理により、醤油が出ないようにしておき、容器本体部１を持ち容器を傾け、一瞬だけ押さえた指をはなすと、ごく少量、醤油５を差すことができる。又、指で押さえたまま容器を軽く振るようにすると、一滴ずつ醤油５を落すことができる。いずれの作業の場合も通気孔８が斜め構造で、内部通気孔口７が注ぎ口４と反対端にあるため、容器を傾けると醤油液面も傾き、通気孔８からの逆流はない。
【図面の簡単な説明】
【００１０】
【図１】  本発明の斜視図
【図２】  本発明の上視図
【図３】  本発明の要部拡大の中央断面図
【符号の説明】
【００１１】    １  容器本体部
２  容器蓋部
３  外部通気孔口
４  注ぎ口
５  醤油
６  蓋天井厚み部
７  内部通気孔口
８  通気孔
９  蓋ネジ部
１０  本体ネジ部
【図１】
2008023285.tif 000003
【図２】
2008023285.tif 000004
【図３】
2008023285.tif 000005
(57)【要約】【課題】従来のポットで水出し飲料を作るとき、水出し飲料の素例えばお茶の葉又はティーバッグを取り出す作業が手間であった。また、手間を惜しんで水出し飲料の素を取り出さないと著しく風味の落ちた状態となっていた。【解決手段】ポット内の上部に水出し飲料の素例えばお茶の葉又はティーバッグを格納する格納庫を、注ぎ口の反対側に設ける。格納庫の底は飲料の水位が上限にあるときは飲料の液中に位置するが、ポット内の飲料を１杯分注ぐと液面上に出る位置に配している。抽出完了後の出来立ての飲料をコップ１杯注ぐことによって、水出し飲料の素が液面上に出ることになり、抽出過多を防ぐことができる。【選択図】図１
2008023287.tif 000002
【特許請求の範囲】
【請求項１】
ポット内上部に、水出し飲料の素を格納するための格納庫を設けたポット
【請求項２】
前記格納庫の壁は液体を通すが、しかし水出し飲料の素を通さない壁で仕切られている格納庫を有するポット
【請求項３】
前記格納庫を注ぎ口の反対側に配するポット
【発明の詳細な説明】
【技術分野】
【０００１】本発明は、作り置いた水出し飲料を最後まで手間をかけずに風味良く飲むことを可能とするポットに関する。
【背景技術】
【０００２】従来技術のポットは、液体を保管するだけの単なる容器（図３（ａ））である。または、長時間抽出を前提とした即ち飲料の素となる例えばお茶の葉やティーバッグを取り出さないことを前提とした、或いは容器の移し替えを前提とした濾し器つきの容器（図３（ｂ））である。
【発明の開示】
【発明が解決しようとする課題】
【０００３】従来技術のポット（図３（ａ）、図４（ａ））を用いて水出し飲料を作る手順を説明する。所定の量の水５（図４（ｂ））をポットに入れ、飲料の素例えばお茶の葉やティーバッグ６（図４（ｃ））を水の中に投入し抽出を開始する。各々の飲料に定められている抽出時間を越え抽出完了（図４（ｄ））となったら、飲料の素例えばお茶の葉やティーバッグを取り出す（図４（ｅ））。【０００４】しかし、従来のポットでは水出し飲料の素となる例えばお茶の葉やティーバッグ６は、抽出完了後には一般的には沈殿しており（図４（ｄ））、それを取り出す為には、濾したり、箸で取り出したりと手間のかかる作業（図４（ｅ））が必要となる。【０００５】この作業を省くと、即ち、水出し飲料の素例えばお茶の葉やティーバッグ６がポット内に留まり続けると、抽出過多となり著しく風味の落ちた状態となる（図４（ｆ））。【０００６】一方で、水出し飲料の中には、長時間抽出が可能なものもあり、このような長時間抽出向けに濾し器の搭載されたポットも従来技術には存在する（図３（ｂ））。【０００７】ところが、一般家庭で多用されているのは、例えば麦茶のように、長時間抽出によって著しく風味の落ちる飲料であり、前記従来技術の単なる容器（図３（ａ））であるポット或いは、濾し器９つきのポットは、（図３（ｂ））例えば麦茶には無効な技術である。
【課題を解決するための手段】
【０００８】本発明は、ポット内の飲料をコップに注いだ後、飲料の量が減るという自然の法則を利用した技術である。【０００９】ポット内上部には、液体が行き来できる隙間のある壁、しかし水出し飲料の素例えばお茶の葉やティーバッグ６を通さない隙間のある壁で隔てられた格納庫２を有する。格納庫２の底の位置は、ポット内の飲料を１杯注ぐと液面から出る位置に調節してある。【００１０】前記格納庫に水出し飲料の素例えばお茶の葉やティーバッグ６を入れておけば、抽出完了後にポット内の飲料を１杯飲むだけで水出し飲料の素例えばお茶の葉又はティーバッグ６は液面から出て、飲料から隔てられることになり、つまりは抽出過多を防ぐことが可能となる。
【発明を実施するための最良の形態】
【００１１】図１は本発明の実施例を説明する図である。図１（ａ）は、ポット本体１に格納庫２を有する蓋３を閉じたところである。図１（ｂ）はポット本体１に格納庫２を有する蓋３を開けたところである。【００１２】本実施例に適用するポット（図１、図２（ａ））は、断面積を約８１（Ｓ）ｃｍ、溶液上限高さを約１８．５（ｈ）ｃｍ、内容量約１５００（Ｓ×ｈ）ｃｃであるとする。図示しないコップ１杯は約１８０（ｖ）ｃｃとする。尚、カッコ内のアルファベットは一般式を表す。【００１３】格納庫２は、ポット本体１側に設けても良いし、ポットの蓋３に設けても良い。本実施例では、蓋３側に格納庫２を設ける。ただし、格納庫２は注ぎ口と反対側に設ける必要がある。なぜならば、注ぎ口付近に格納庫を配すると、注ぐ度に飲料と、水出し飲料の素例えばお茶の葉又はティーバッグ６が触れることになり抽出が余分に進んでしまうからである。【００１４】前記格納庫２の底は、ポットの底より約１６．３（ｈ−ｎ×ｖ／Ｓ：ｎは後述コップへ注ぐ杯数）ｃｍのところにあればよい。【００１５】ポットに水５を上限４まで入れ（図２（ｂ））、格納庫２に水出し飲料の素例えばお茶の葉又はティーバッグ６を格納し（図２（ｃ））格納庫２を有する蓋３を閉める（図２（ｄ））。【００１６】水出し飲料の所定の抽出時間が過ぎた後即ち抽出完了後（図２（ｅ））、ポット内の飲料をコップに１（ｎ）杯注ぐと（図２（ｆ））水出し飲料の素例えばお茶の葉又はティーバッグ６は、飲料の液中から出る（図２（ｇ））ため抽出過多を防ぐことができる。【００１７】尚、コップに注ぐ回数ｎを大きくすればするほど風味が落ちるのでｎは１、せいぜい２が望ましい。
【発明の効果】
【００１８】従来技術では、水出し飲料の風味を最後まで楽しむためには必ず欠かすことのできなかった、抽出完了後の水出し飲料の素例えばお茶の葉又はティーバッグ６を取り出す作業を、本発明では出来立ての水出し飲料をコップに１杯注ぐだけで、即ち飲むだけで、水出し飲料の素例えばお茶の葉又はティーバッグ６をポットから取り出すことなく、抽出過多を防ぎ、最後まで水出し飲料の風味を楽しむことを可能とする。
【図面の簡単な説明】
【００１９】
【図１】本発明の実施例を説明するポットの構造図である。
【図２】本発明の実施例で説明するポットの使い方を示すフローチャートである。
【図３】従来技術のポットを説明する構造図である。
【図４】従来技術のポットの使い方を示すフローチャートである。
【符号の説明】
【００２０】１、ポット本体  ２、格納庫  ３、蓋  ４、入れる水の上限  ５、水  ６、水出し飲料の素  ７、抽出完了した飲料  ８、抽出過多の飲料  ９、濾し器
【図１】
2008023287.tif 000003
【図２】
2008023287.tif 000004
【図３】
2008023287.tif 000005
【図４】
2008023287.tif 000006
(57)【要約】【課題】米とぎ使用時に水の中に手を入れて、研ぐことをせず、雑菌の混入をさけて使用する、その他、調理にも使用することが可能な、泡立て器の逆をゆく、泡立てず、使用する事を目的とする、米とぎ用攪拌器を提供する【解決手段】強度で、柔軟性のあるウレタン樹脂の素材で、直径が約５ｍｍ．の円筒形・棒状の物を１０本程揃えた攪拌部（２）を設け、一方を柄（１）としてまとめ、箒状のような形にしたことを特徴とする米とぎ攪拌器。【選択図】図１
2008023286.tif 000002
【特許請求の範囲】
【請求項１】
強度で柔軟なウレタン樹脂の素材で、直形が約５ｍｍ．の円筒形・棒状の物を１０本程、揃えた、攪拌部（２）を設け、一方を柄（１）としてまとめ、箒状のような形にしたことを特徴とする米とぎ用攪拌器。
【発明の詳細な説明】
【技術分野】
【０００１】  本発明は米とぎに、直接米に手を入れて研がず、米を傷つけにくく、手の雑菌を極力入れずに、米の旨みを出して炊き上げる事が出来るように工夫した米とぎ用攪拌器で、米とぎに限らず、蒸し物や、お菓子作り等で、泡立てずに攪拌したい場合に、泡立て器の逆を行くので、泡立てず、手早く攪拌する事が出来る、米とぎ用攪拌器に関するものである
【背景技術】
【０００２】  従来、米とぎには、米に水を加え、手を入れて、ゴシゴシと米と米をすりあわす事で、米糠を取り除くことをしていたが、手の雑菌が入り易く、炊いたご飯の持ちも悪く酸化し易い、又、蒸し物や、菓子作りに、泡を立てずに攪拌する事が困難であり、泡立て器の逆を行くものは見当たらなかった
【発明の開示】
【発明が解決しようとする課題】
【０００３】  その為に次のような問題点があった。
（イ）米を研ぐのに米に水を加え、手を入れてゴシゴシと米と米を摺り合せて米をとぎ、糠を取り除くことをした
（ロ）最近は昔と違って、すべてに酸化し易くなってきている事もあり、手を入れて米とぎすることで、雑菌も増え易く、炊いたご飯の日持ちも落ちる
（ハ）冬場は特に冷たい水に手を入れることの難易さもあり、また手に傷をした時など不便さがある
（ニ）手を使ってゴシゴシと研ぐことで、米の胚芽はほとんど取れてしまい米をとぐのに暇もかかる
【課題を解決するための手段】
【０００４】  強度で柔軟なウレタン樹脂の素材で、直径が約５ｍｍ．の円筒形、棒状の物を、１０本程揃えたもので、一方を柄（１）としてまとめ、先を箒状の攪拌部（２）の形に構成された米とぎ用攪拌器
【発明の効果】
【０００５】  この作品は、細い円筒形をし、棒状で複数の攪拌部はその丸みと柔軟性のため、米の周囲に柔らかく当たり、糠を容易に取ることができる
従来の米とぎのように水に手を入れゴシゴシと、とぐ事もなく米に傷つけず、比較的・胚芽も取れ難く、手を入れずに米とぎ器で攪拌することで簡単に糠を洗い落とすことができ衛生的である。
手間もかからず、雑菌も入り難く、炊き上げたご飯の旨みも出て、日持ちも良い。
冬は水に手を入れず米とぎが出来るので、冷たい思いをせず、手を傷したとき等も安心して使用できる。
米とぎに限らず、泡立て器の逆で、泡を立てずに攪拌することが出来るのが特徴であり、卵の黄身と白身の攪拌は容易にでき、茶碗蒸しや、各種調理に、安易に使用できる。
【発明を実施するための最良の形態】
【０００６】  以下本発明を実施する為の形態を説明する
（イ）ウレタン樹脂の強度で柔軟性のある材質による、５ｍｍ．の円筒形の棒状１０本を使用し、長さを２０ｃｍ程に揃え、一方を持ち手として纏め、１本１本の円筒形の部分の丸みを利用して、米と水とを軽く廻しながら攪拌する事で、優しく米に当たる様になり、手の雑菌を入れず、米に傷を付け難く、胚芽も取れ難く、簡単に米とぎすることが出来るのを目的として作られたものである。
（ロ）本発明のウレタン樹脂には、有用な、蘇生ＥＭセラミックスを配合して作り、その抗酸化力が加わることで、米の旨みを増しながら米とぎ出来るように作られた米とぎ用攪拌器である
（ハ）なお、本米とぎ用攪拌器は、使用に当たって、円を描く様にゆっくり軽く回転させながら使用する事で、濃度のとぎ汁は２〜３回できれいになり、後は水を替えながら数回洗いゆすぎ上げる。
（ニ）また、米とぎ用のみに限らず、泡立て器の逆を行くための物で、卵の攪拌など、泡立てずに攪拌したい茶碗蒸しなど、各種調理や、調味料合わせにも有効に使用出来る
【図面の簡単な説明】
【０００７】
【図１】  本発明の正面図である。
【図２】  本発明の後面図である。
【図３】  本発明の断面図である。
【図４】  本発明の米とぎ使用状態を示した図である。
【符号の説明】
【０００８】  １    米とぎ用攪拌器の取っ手
２    米とぎ用攪拌器の攪拌部
３    米とぎ用攪拌器の先端部
４    米とぎ用攪拌器の柄の後部
５    米とぎ用攪拌器で回し乍ら使用する図
【図１】
2008023286.tif 000003
【図２】
2008023286.tif 000004
【図３】
2008023286.tif 000005
【図４】
2008023286.tif 000006
(57)【要約】【課題】高齢者や子供が浣腸などの便通促進をする際、一定時間排便を我慢させるためガーゼや脱脂綿、ティッシュ、女性の生理用品を、肛門をティッシュ等で圧接を補助しなければならなかった。浣腸の際や排便抑制の不自由な方が、肛門をナプキンで圧接することで、補助してもらわずに排便を抑制できるようにすることを課題とする。【解決手段】ナプキン、シート、及びおむつに肛門形状の衛生紙綿（高分子吸収材、緩衝材、冷却材、温熱材や薬剤など）を内蔵、付着、挿入させることでこの課題を解決する。【選択図】図１
2008023288.tif 000002
【特許請求の範囲】
【請求項１】
ナプキン、シート、及びおむつの皮膚フィット層（通気性・吸収性・伸縮性のある柔軟性シート状素材と吸収材等を固定）と下着接着面層（衛生紙綿等と粘着テープを施した面を固定）の間に衛生紙綿や、高分子吸収材、緩衝材、冷却材、温熱材や薬剤などによって、肛門の排便抑制用ナプキン、シート、及びおむつ
【請求項２】
ナプキン、シート、及びおむつの皮膚フィット層（通気性・吸収性・伸縮性のある柔軟性シート状素材と吸収材等を固定）と下着接着面層（衛生紙綿等と粘着テープを施した面を固定）の間に各人の肛門形状の衛生紙綿、高分子吸収材、緩衝材、冷却材、温熱材や薬剤などが出し入れできるような挿入口およびポケットを持つ排便抑制用ナプキン、シート、及びおむつ
【発明の詳細な説明】
【技術分野】
【０００１】  本発明は、肛門用ナプキンに関するものであり、ナプキンの形状に工夫を加えることによって、肛門形状の衛生紙綿、高分子吸収材、緩衝材、冷却材、温熱材や薬剤などを内蔵、付着、挿入し、肛門を圧接することで、排便の抑制をしやすくなるようにしたものである。
【背景技術】
【０００２】  従来から、浣腸後、一定時間排便を抑制するため、ガーゼや脱脂綿、ティッシュ、女性の生理用品等を肛門に押し当てていた。
また、排便をコントロールしにくい高齢者は介護用オムツを利用していた。
【発明の開示】
【発明が解決しようとする課題】
【０００３】  しかし、高齢者や子供が浣腸などで便通促進をする際、一定時間我慢させるためガーゼや脱脂錦、ティッシュ等で、肛門の圧接を補助しなければならなかった。また、排便コントロールが不自由な方にとって、排便の抑制補助は高齢者の精神的苦痛を軽減できる。
また、使用者が各人の肛門周辺形状に突起の高さ等を調節し圧接することで、補助してもらわずに排便の抑制ができるようにすることを課題とする。
【課題を解決するための手段】
【０００４】  この課題を解決するための請求項１の発明は、肛門形状の衛生紙綿、高分子吸収材、緩衝材、冷却材、温熱材や薬剤などのナプキンや、それらが内蔵、または付着していることを最も主要な特徴とする、排便抑制用ナプキン、シート、及びおむつである。【０００５】  また、請求項２の発明は、ナプキンの皮膚フィット層と下着接着面層の間に衛生紙綿（高分子吸収材、緩衝材、冷却材、温熱材や薬剤など）を出し入れできるような挿入口を持つことを最も主要な特徴とする、調節可能排便抑制用ナプキン、シート、及びおむつである。
【発明の効果】
【０００６】  本発明により、浣腸の際や、排便抑制の不自由な方が、補助してもらわずに排便を抑制でき、ナプキンの形状を自在に変えることによって、各人の肛門周辺形状に合わせ、ふくらみの度合いや、硬さ、温度などを調節することができる。
【発明を実施するための最良の形態】
【０００７】  図１は、ナプキン、シート、及びおむつの皮膚フィット層からの断面図であり、肛門形状の圧接物をもつことを特徴とする。【０００８】  図２は、皮膚フィット層と下着接着面層との間からの平面図であり、非接着部分すなわち挿入口を持つことを特徴とする。【０００９】  図３は、ナプキン、シート、及びおむつの挿入口からの断面図であり、皮膚フィット層と下着接着面層の間にポケットを持つことを特徴とする。
【産業上の利用可能性】
【００１０】  本発明に係るナプキン、シート、及びおむつは、工業的に量産することが可能であるため、産業上の利用可能性を有する。
【図面の簡単な説明】
【００１１】
【図１】肛門形状の突起をもつナプキン、シート、及びおむつの平面図
【図２】皮膚フィット層と下着接着面層の間にポケットを示すナプキン、シート、及びおむつの平面図
【図３】皮膚フィット層と下着接着面層の間にポケットを示すナプキン、シート、及びおむつの断面図
【符号の説明】
【００１２】  １  皮膚フィット層
２  下着接着面層
３  肛門圧接突起
４  挿入口およびポケット
【図１】
2008023288.tif 000003
【図２】
2008023288.tif 000004
【図３】
2008023288.tif 000005
(57)【要約】【課題】            高級衣料に相応しく、使用されている場所に高級な雰囲気を醸し出す、高級感のある衣料用ハンガーを提供することが課題である。【解決手段】            ハンガー本体の顔と呼ばれる位置にデザイン性に優れた形で宝飾品をはめ込み、ハンガー本体自体に高級なイメージを付加させることにより、高級衣類に相応しくなる。  さらに、宝飾品により高級感が出て、使用される場所にも高級な雰囲気を醸し出すことが出来る。【選択図】図５
2008023281.tif 000002
【特許請求の範囲】
【請求項１】
衣料用ハンガーにおいて、使用中や吊り下げられている間に室内の装飾品としてや、衣類に高級感を与えたりする演出効果を高めるために、衣料用ハンガーの顔と呼ばれる位置に高価な宝石や装飾品をちりばめた衣料用ハンガー。
【発明の詳細な説明】
【技術分野】
【０００１】    本発明は、衣料用ハンガーに関する。
【背景技術】
【０００２】    通常、衣料用ハンガーは衣類を吊り下げるためだけの実用品として活用されてきていた。【０００３】    実用品という観点から、子供用等の特殊な品目以外は、形状、外観等にあまり関心が寄せられていなかった。
【発明の開示】
【発明が解決しようとする課題】
【０００４】    しかしながら、衣料用ハンガーは使用中も視野に入るもので、使用場所や吊り下げられている衣類自体に対する影響にはあまり注意が払われていない。【０００５】    高級衣類には相応しいハンガーが要求され、その高級ハンガーを使用することにより、衣類自体の高級感を高めるために、ハンガー本体に高級感を備えさせる必要がある。
【課題を解決するための手段】
【０００６】      衣料用ハンガーに高級感と装飾性を持たせるために、本体部分に装飾を施し、高級衣料の使用に耐え得る雰囲気を醸し出す工夫に加え、使用される場所に高級感を与える効果を付加させる。【０００７】      ハンガー本体の顔と呼ばれる位置に宝飾品を施すことにより、ハンガー本体の見栄えをより良くし、その効果によりハンガー本体に高級感を与える。
【発明の効果】
【０００８】      上記のように、高級衣料には高級感のあるハンガーを、そして、使用場所にも高級なイメージを与え、全体の雰囲気の調和を整備できる。【０００９】      ハンガーに宝飾品を取り付けることにより、衣料の所有者に安堵感を与え、吊り下げられている場所の雰囲気も豪華にする。
【実施例】
【００１０】      ハンガー本体１の顔２と呼ばれる中心部に宝飾品４を設置するための位置決めマークをつける。【００１１】      ハンガー本体のフック３と顔３と呼ばれる中心部のセンターが一直線上になるようにする。【００１２】      図５と図６のようにハンガー本体の中心線上に宝飾品４を図案に沿って埋め込む。【００１３】      図１及び図２のように宝飾品４のデザインが明確にわかるように宝飾品４の設置位置がデザインとおりか確認できるようにする。【００１４】      図３と図４はデザインとおりに宝飾品４が設置されるように配置されている状態で最終確認をする。
【図面の簡単な説明】
【００１５】
【図１】宝飾品４を施したハンガー本体１の正面図である。
【図２】宝飾品４を施したハンガー本体１の斜視図である。
【図３】顔２に宝飾品４を施した時の拡大図である。
【図４】顔２に宝飾品４を施した時の拡大斜視図である。
【図５】顔２とフック３との中心線を確認できる図面である。
【図６】顔２とフック３とのバランスを確認する斜視図である。
【符号の説明】
【００１６】  １．ハンガー本体            ２．顔
３．フック                  ４．宝飾品
【図１】
2008023281.tif 000003
【図２】
2008023281.tif 000004
【図３】
2008023281.tif 000005
【図４】
2008023281.tif 000006
【図５】
2008023281.tif 000007
【図６】
2008023281.tif 000008
(57)【要約】【課題】      オー脚変形改善、膝痛、外反母趾、疲れの緩和。【解決手段】      歩行時の重心移動をなめらかに、適切に行うよう補助する。年配者、特に中高年者に膝が使えますので、歩いていても、オー脚・膝痛・疲れを予防する。また、ヒールの高いシューズを履いている人は、膝を曲げたまま歩いていても重心はかかとになっているので、足は細くても膝が変形し、猫背になってきます。ヒールを細いかかとと底の最初の所につけることによってつま先が地面より上がり、はじめの一歩をつけたかかとで一、二となり、三、四で重心が前にいくので膝が軽く曲がり、身体の重心が親指にかかることなく外反母趾を防ぐのです。【特許請求の範囲】
【請求項１】
すべての履物に（スリッパも含む）、ヒールを長くつける。ヒールの長さは土踏まずのところまで。
【請求項２】
履物を置いた時、ヒールの先からつま先はヒールの高さ分地面より上がっている。前に重心がかかった時、履物を置いた時、ヒールの先からつま先が地面より上がっている。膝が少し前に曲がり、足首、膝、腰に負担がかからず、スムースに歩くことができ、膝通、外反母趾を防ぐ。
【発明の詳細な説明】
【技術分野】
【０００１】すべての履物にヒールを土踏まずの所まで長くする。ヒールと底の土踏まずの部分をやわらかく曲がる素材にする。履物を地面に置いた時、かかとのところから先は地面より上がっている状態が望ましい。それによって重心がかかとで一、二と踏んで、三、四でつま先に重心が移動する事によってひざが軽く曲がりやすくする機能。これにより、膝が突っ張らず、膝が使えるので、長距離の歩行でも疲れない。
【背景技術】
【０００２】足首・ひざが自由に使える状態を実現した仕組
【発明の開示】
【背景技術】
【０００３】履物すべてが、かかととつま先が同時に地面についている。土踏まずのところが曲がることがないので、歩く時、送り出す重心の移動が無く、ひざがつっぱっていて片方の足を送り出している。そのため、足や膝に負担をかけて、歩くだけ疲れていたのです。
【発明が解決しようとする課題】
【０００４】オー脚変形、膝痛・疲れ等の緩和、外反母趾、疲れの緩和。
【課題を解決するための手段】
【０００５】ひざが前に軽く曲がることによって、重心がかかとで一、二と踏んで、三、四でつま先に重心が移動する事によってひざが軽く曲がりやすくする機能。ヒールを長く、土踏まずの所まで、そこから先端まではヒールの高さと同じ位、先端が地面より上がっている。また、ヒールの高い靴も同様にする。シューズに重心が乗った時ヒールからつま先が地面より上がっている。細いヒールと底の最初の部分にヒールをつける。
【産業上の利用可能性】
【０００６】シューズ全般、サンダル、スリッパ等履物全般
【図面の簡単な説明】
【０００７】
【図１】は靴を履いた状態。かかとで１、２と踏んだ状態。かかとの先端からつま先まで、地面より上がっている。図１−１、図１−２は従来の靴の底。
【図２】は、３，４で靴の先端に重心を移動した状態。この時に膝が軽く曲がって片方の足を運ぶ状態。
【図３】は重心がつまさきにかかった時の膝の状態。以上の流れで歩く状態をつくることで、疲れ・膝痛防止、Ｏ脚防止につながり、健康的で楽な歩き方を作り出す。
【図１】
2008023300.tif 000002
【図２】
2008023300.tif 000003
【図３】
2008023300.tif 000004
(57)【要約】【課題】  片手だけで容易に操作できる片手用の洗濯挟みを提供する。【解決手段】  支点を介して開いている２本の軸の一方の先端にカギ状突起と、他方の先端に穴を設け、両端を引き寄せ突起を穴に掛けて閉じる。穴から突起を外せば、装着したバネによって元の状態に開く。この開閉は片手だけで容易に操作できる片手用の洗濯挟み。【選択図】図１
2008023293.tif 000002
【特許請求の範囲】
【請求項１】
支点を介して開いている２本の軸の一方の先端にカギ状突起を設け、他方の先端に穴を設け、両先端を引き寄せて突起を穴に掛けて閉じる。突起を穴から外すと両先端は元の状態に開く。その開閉操作は容易であることを特徴とする片手用の洗濯挟み。
【発明の詳細な説明】
【技術分野】
【０００１】  本発明は、洗濯挟みで衣類や物などを挟むとき、片手の簡単な操作で使用できる片手用の洗濯挟みに関するものである。
【背景技術】
【０００２】  従来、洗濯挟みの２本の軸は、指とバネの力で開閉し、種々の物を挟み多方面に広く利用されているが、軸を開閉する手と、挟もうとする物を持つ手と両手を使わなければ使用できない。
【発明の開示】
【発明が解決しようとする課題】
【０００３】    そのために、次のような欠点があった。
病気や怪我など種々の事情で、片手だけで生活している人が大勢いる。又、片手に子供を抱いていたりなど両手を使えない場合も多々ある。この状態の時、従来の洗濯挟みは使用出来ない。又無理に使用する際は困難である。
本発明は以上の問題点を解決しようとするためのものである。
【課題を解決するための手段】
【０００４】  支点を介して開いている２本の軸の先端の一方にカギ状突起を設ける。他方に穴を設ける。穴に突起を掛けて先端を閉じる。掛けていた突起を外せば装着しているバネで軸は開く。このように２本の軸を開閉させる操作は、片手で容易にできることを特徴とする片手用の洗濯挟みである。
【発明の効果】
【０００５】  本発明を使用するとき、両手を必要とせず、片手だけの操作で容易に使用できて非常に便利である。
【発明を実施するための最良の形態】
【０００６】  以下、本発明の実施の形態を説明する。
（イ）軸（１）の先端にカギ状突起（３）を設ける。
（ロ）軸（２）の先端に貫通した穴（４）を設ける。
（ハ）軸（１）と（２）は支点（５）で接合している。
（ニ）軸（１）と（２）の間にバネ（６）を装着する。
（ホ）支点を介して開いてる軸（１）と（２）を引き寄せ、突起（３）を穴（４）に掛け、軸（１）と（２）の先端を閉じる。
（ヘ）突起（３）を穴（４）から外せば装着したバネの力で元の状態に開く。
本発明は、以上のような構成によりなっている。
本発明を使用するときは、２本の軸（１）と（２）が、支点（５）を介して開いている方の先端を、片手の指で挟んで引き寄せ、突起（３）を穴（４）に掛けると、軸（１）と（２）の先端は閉じて開かない。突起（３）を軽く押し下げて穴（４）から外せば、軸（１）と（２）の間に装着したバネ（６）の力で瞬時に元の状態に開く。そして支点（５）を介して他方の先端は強く閉じて物を挟む。従って、軸（１）と（２）の開閉は、片手の指だけで容易で、且つ自在に操作できる。そして、先端が閉じている時は、引き寄せて挟んでいる指を離すことができる。この結果、従来の洗濯挟みを使用する時に、他の人の助けを要したり、又、使用を諦めていた人達は、自力で容易に使用が可能になって作業動作が増し、喜びも伴う。この結果、片手で生活している人も、両手を使える人も、本発明の使用により作業が容易で、且つ迅速になり非常に便利な用具である。又、前記と別の構成として、支点（７）を介して半回転するワク（８）を軸（１）の先端に設け、両軸を引き寄せた時、軸（２）の先端にワク（８）を掛け、閉じた状態を維持させる。そしてワク（８）を外せば先端は開く。この構成方法も目的と効果は前記と同様である。
【図面の簡単な説明】
【０００７】
【図１】本発明の正面斜視図
【図２】本発明のカギ状突起を穴に掛けた状態の斜視図
【図３】本発明の別の構成の、枠を掛けた先端部分の斜視図
【符号の説明】
【０００８】  １  軸
２  軸
３  カギ状突起
４  穴
５  支点
６  バネ
７  別の構成の支点
８  ワク
【図１】
2008023293.tif 000003
【図２】
2008023293.tif 000004
【図３】
2008023293.tif 000005
(57)【要約】【課題】  手で直接洗うことなく、すごく簡単な方法で自動的にお米がきれいに洗えるようにした自動お米洗い器を提供する。【解決手段】  容器の側面に穴を設け、その側面をお米の粒を通さない細かい網目状のものでおおい、引っ掛け手持ちにすべり止めを設け、容器に目盛りなるものを設け、容器外底面にすこし高さを設けたことを特徴とする。【選択図】図１
2008023294.tif 000002
【特許請求の範囲】
【請求項１】
容器の側面に穴を設け、その側面を網目状のものでおおい、引っ掛け手持ちにすべり止めを設け、容器に目盛りなるものを設け、容器外底面はすこし高めにする。
以上の構成よりなる自動お米洗い器。
【請求項２】
穴のあいた容器側面の構造は、穴のあいた面の間に網目状のものをはさみこんでできた面の構造とすることを特徴とする自動お米洗い器。
【発明の詳細な説明】
【技術分野】
【０００１】  この発明は、水圧と容器の面の抵抗力により容器内で水流を起こし、容器側面に穴を配したことにより水の入れ替えも可能にした、お米をきれいに自動的に洗う自動お米洗い器に関するものである。
【背景技術】
【０００２】  従来、簡単にお米を自動で洗う商品がなく手で洗っていた。
【発明の開示】
【発明が開発しようとする課題】
【０００３】  これは、次のような欠点があった。
手が荒れる、手が痛い、爪が折れる、主食のため度々洗うので面倒、冬は手が冷たいなどのストレスがたくさんあった。
本発明は、以上のような欠点をなくすためになされたものである。
【課題を解決するための手段】
【０００４】  請求項１の発明は、容器の側面に穴を設け、その側面に網目状のものをかぶせ、引っ掛け手持ちにすべり止めを設け、容器に目盛りなるものを設け、容器外底面はすこし高めにする。
本発明は、以上の構成よりなる自動お米洗い器である。
【０００５】  請求項２の発明は、容器側面の穴のあいた面の構造を、面の間に網目状のものをはさみこんでできた面でつくることを特徴とする自動お米洗い器である。
【発明の効果】
【０００６】  とても単純なつくりで、使い方も簡単。
手で洗わなくても、水道水を流し入れるだけの簡単さで自動的にお米をきれいに洗ってくれる。お米を手で洗う時に生じるいろいろなストレスから解放される。また水流で洗うのでお米もこわれずに洗える。
【発明を実地するための最良の形態】
【０００７】  以下、請求項１の発明を実地するための最良の形態について説明する。
円柱状の容器の底には穴を設けないで、側面に多数の穴を設け、その面の外側を腹巻型の細かい網目状のものでしっかりフィットするようかぶせる。蛇口に引っ掛けられるようすべり止めを配した引っ掛け手持ちを設ける。
容器に目盛りになる線や配色などを設ける。
流しに置いても使いやすいように容器の底面をすこし高めに設ける。
本発明は、以上のような構造でこれを使用するときは、
引っ掛け手持ちを蛇口に引っ掛けるか、流しにおき、水道水を流す。
そうすると、次のような要領で、お米が自動的に洗える。
水道水が容器内に流れ込む水圧と容器の面の抵抗力により容器の中で自然に水の流れができ、お米がその流れにのり自動的にぐるぐる回りまんべんなく洗える。
容器の側面の穴とそれをしっかり包みこんだ腹巻型の網目状のものによりお米は外にでないのに水はでて常に水が適度に入れ替わる。
しばらくすると水のにごりがおさまりお米がきれいに洗い上がり、あとは通常のように炊けばよい。
【０００８】  請求項２の発明を実地するための最良の形態について説明する。
容器側面の穴のあいている面の構造は、面の中に網目状のものがはさみこまれていることを特徴とする。側面の様子以外は前記請求項１と同じ。
【０００９】  引っ掛け手持ち、容器、穴、包むものなどの素材や大きさや形や色はいろいろあってよい。
【図面の簡単な説明】
【００１０】
【図１】本発明の使用図である。
【図２】本発明の分解図ある。
【図３】本発明の請求項２の容器側面構造図である。
【符号の説明】
【００１１】１穴
２腹巻型の網目状のフィットするもの
３引っ掛け手持ち
４すべり止め
５目盛り
６蛇口
【図１】
2008023294.tif 000003
【図２】
2008023294.tif 000004
【図３】
2008023294.tif 000005
(57)【要約】      （修正有）【課題】マスクとメガネを併用した時にマスク内に吐き出した息が上部より出る事でメガネが曇ります。そこでマスクの上部のみの通気をカットする塗布被膜を作る事でメガネに息が直接当たらない様にして曇り防止効果を計る、メガネの曇り防止マスクです。冬期あるいは寒冷所でマスクとメガネを併用すると、自分の吐き出す息でメガネが曇り視界が確保出来ず作業や車の運転などが危険な状態になる。それを防止する事を目的にしたメガネの曇り防止マスクです。【解決手段】マスク上部に鼻とマスクの間隙をふさぐ金具とマスク固定バンドがすでに有したマスクの上部の縁より、適当な幅で塗布被膜やフイルム被膜を作る事で吐き出す息の流通をカットして、メガネが曇るのを防止するメガネの曇り防止マスクです。【選択図】図１
2008023298.tif 000002
【特許請求の範囲】
【請求項１】
マスク本体（１）の両側の縁から固定バンド（２）と鼻とマスクの隙間を無くす金具（４）がすでに設けてあるマスクの上部に、塗布被膜（３）を作り、マスク上部から呼吸によって通気する息をカットしてメガネが息で曇るのを防止する。メガネの曇り防止マスクを提供するものです。
【請求項２】
マスク本体（１）の両側の縁から固定バンド（２）と鼻とマスクの隙間を無くす金具（４）がすでに設けてあるマスク上部に、縁より適当な幅でフイルム（６）をマスク自体に張り付けてフイルム被膜（３）を作り、マスク上部から呼吸によって通気する息をカットしてメガネが曇るのを防止する。メガネの曇り防止マスクを提供するものです。。
【発明の詳細な説明】
【技術分野】
【０００１】マスクの上部の縁より適当な幅で被膜加工をして、吐く息の通気をカットしてメガネが曇るのを防止するメガネの曇り防止マスクです。
【背景技術】
【０００２】従来のマスクはメガネと併用にするとメガネが吐く息の通気で曇り視界が奪われ、危険な状態になった。メガネ自体に曇り止め加工をした物もあるが、高価な事と全てのメガネに施されていない。又、寒冷期には曇り止め効果が不完全である。
【発明の開示】
【０００３】マスク上部に適当な幅で被膜を作り、吐き出す息の上部のみ通気をカットとして、メガネが息で曇るのを防止する。
【課題を解決するための手段】
【０００４】マスク本体の上部に被膜を作る。マスク上部より呼吸によって吐く息の流通をカットしてメガネの内、外側が曇るのを防ぐ、メガネの曇り防止マスクです。
１．人体に無害な塗料をマスク上部の縁より適当な幅で塗布して被膜を作る。
２．フイルムをマスク上部の縁より適当な幅でマスク上に密着させて張り付けて被膜を作る。
【発明の効果】
【０００５】今までのマスクはマスク内にこもった息がマスク全面から吐き出されるのでマスクとメガネを兼用すると息でメガネが曇り視界を奪われました。花粉症や近視の人は歩行は元より車の運転が出来ませんでした。又、汚れた空気中でマスクとメガネを兼用して作業をする人も視界を奪われて作業に支障をきたしていましたが、メガネの曇り防止マスクはこれらを解決して快適な使用が可能になりす。
【発明を実施するための最良の形態】
【０００６】マスクの上部に適当な幅で塗布被膜を作り、吐き出す息をマスクの上部のみの流通をカットする事でメガネが曇らない様にする。
マスクの上部にフイルムを密着加工して吐き出す息の流通をマスクの上部のみカットしてメガネの曇り防止効果をもたらす。
【図面の簡単な説明】
【０００７】
【図１】正面斜図
【図２】側面斜図
【図３】マスク上部の塗装被膜断面図
【符号の説明】
【０００８】  １．マスク本体                        ２．固定バンド
３．被膜                              ４．金具
５．塗料被膜材                        ６．フィルム
【図１】
2008023298.tif 000003
【図２】
2008023298.tif 000004
【図３】
2008023298.tif 000005
(57)【要約】【課題】歩行や運動時に指の働きを補助することができる履物を実現できるようにする。【解決手段】履物の中底で指のあたる部分を高くした構造とし、履物を履いたとき指が上方向に曲がった状態にする。この状態で歩行や運動を行うと、指の力を効率よく地面に伝える事ができる。【選択図】図１
2008023292.tif 000002
【特許請求の範囲】
【請求項１】
履物の中底足指に対応する部分を足底に対応する部分よりも高く形成したことを特徴とする履物。
【請求項２】
上記足指に対応する部分を、足の親指から足の小指にかけて略均等に高くしたことを特徴とする請求項１に記載の履物。
【請求項３】
上記足指に対応する部分を、足の親指側が高く、足の小指側に行くに従って低くなるように傾斜させるようにしたことを特徴とする請求項１に記載の履物。
【請求項４】
上記足指に対応する部分を、足の子指側が高く、足の親指側に行くに従って低くなるように傾斜させるようにしたことを特徴とする請求項１に記載の履物。
【請求項５】
履物の中底の足の親指に対応する部分を足底に対応する部分よりも高く形成したことを特徴とする履物。
【発明の詳細な説明】
【技術分野】
【０００１】  本発明は、履物の構造を改良し、足の指の動きを促進し強化すると同時に、指の力を効率的に地面に伝えることができるようにした履物に関するものである。
【背景技術】
【０００２】  履物、例えば、靴本来の使用目的は、日常生活において屋外で歩くことにある。したがって、歩く為の道具としての履き良さ・安全性・意匠等で進化した。近年では靴の使用目的が格段に広がり、用途に応じて多様な機能が要求されている。一方で、健康に関する関心が高まり、健康に配慮した靴も数多く登場し、靴は日々進化している。【０００３】  例えば、特許文献１に記載の「靴底の製造方法」においては、足先を反らせるようにした靴を製造する方法が提案されている。【０００４】
【特許文献１】特開２００３−２４５１０１号公報
【発明の開示】
【発明が解決しようとする課題】
【０００５】  前記特許文献１に記載の「靴底の製造方法」により製造される場合には、耐滑機能とつまずき防止機能に着目している。【０００６】  しかしながら、歩行や運動時には、足の指（特に親指）の機能が重要な役割を果たしている。このため、その指の力を地面に伝え易い構造の履物が求められる。【０００７】  本発明は前述の問題点にかんがみ、足の指の働きに着目し、指の機能を補助できるようにすることを目的としている。
【課題を解決するための手段】
【０００８】  本発明の履物は、履物の中底の足指に対応する部分を足底に対応する部分よりも高く形成したことを特徴とする。
また、本発明の履物の他の特徴とするところは、上記足指に対応する部分を、足の親指から足の小指にかけて略均等に高くしたことを特徴とする。
また、本発明の履物のその他の特徴とするところは、上記足指に対応する部分を、足の親指側が高く、足の小指側に行くに従って低くなるように傾斜させるようにしたことを特徴とする。
また、本発明の履物のその他の特徴とするところは、上記足指に対応する部分を、足の子指側が高く、足の親指側に行くに従って低くなるように傾斜させるようにしたことを特徴とする。
また、本発明の履物のその他の特徴とするところは、履物の中底の足の親指に対応する部分を足底に対応する部分よりも高く形成したことを特徴とする。
【発明の効果】
【０００９】  本発明によれば、履物の中底の足指に対応する部分を足底に対応する部分よりも高く形成したので、歩くことで指の曲げ角度が大きくなり、指を刺激することができる。又、足指の力を効率的に地面に伝えることができる。
【発明を実施するための最良の形態】
【００１０】（第１の実施の形態）
以下、図面を参照して本発明の履物の実施形態を詳しく説明する。
発明の実施の形態を、図面を参照して説明する。
図１は、第１の実施形態を示し、中底１０の平面図である。図１に示したように、本実施形態の中底１０は使用者２０の足底に対応する中底本体部１１と、足指部に対応する指先部１２とから構成されている。【００１１】  図２に示したように、本実施形態においては使用者の指先部２１は使用者２０の中足骨骨頭（指の付け根）２２に対応する中底本体部１１から使用者の指先部２１に向かって漸次高く形成している。このように、暫時高くするための傾斜角度αを略３０度にしている。【００１２】  図３は、図１中のＡ−Ａ線に沿う断面図である。図３に示したように、本実施形態の指先部１２の形状を足の親指から足の小指にかけて略均等に高く形成している。【００１３】（第２の実施形態）
次に、図４を参照しながら本発明の第２の実施形態を説明する。
図４は、上述した第１の実施形態における図３に対応する断面図である。図４に示したように、第２の実施形態の中底４０は指先部４２が中底本体部４１よりも高くなるように形成されている点は同じであるが、使用者２０の足の親指側が高く、足の小指側に行くに従って低くなるように傾斜させている点が特徴である。このように構成することにより、使用者２０の足の親指側の力を地面に伝え易くすることができる。【００１４】（第３の実施形態）
次に、図５を参照しながら本発明の第３の実施形態を説明する。
図５は、上述した第１の実施形態における図３に対応する断面図である。図５に示したように、第３の実施形態の中底５０は指先部５２が中底本体部５１よりも高くなるように形成されている点は同じであるが、使用者２０の足の子指側が高く、足の親指側に行くに従って低くなるように傾斜させている点が特徴である。このように構成することにより、使用者２０の足の子指側の力を地面に伝え易くすることができる。【００１５】（第４の実施形態）
次に、図６を参照しながら本発明の第４の実施形態を説明する。
図６は、上述した第１の実施形態における図３に対応する断面図である。図６に示したように、第４の実施形態の中底６０は指先部６２が中底本体部６１よりも高くなるように形成されている点は同じであるが、使用者２０の足の親指側だけを高くしている点が特徴である。このように構成することにより、使用者２０の足の親指側の力を重点的に地面に伝え易くすることができる。
【図面の簡単な説明】
【００１６】
【図１】本発明の第１の実施の形態を示し、履物の中底の構成を説明する平面図である。
【図２】第１の実施形態を示し、使用状態を説明する図である。
【図３】第１の実施形態を示し、図１中のＡ−Ａ線に沿う断面図であり、指先部の形状を説明する図である。
【図４】第２の実施形態を示し、指先部の形状の変形例を説明する図である。
【図５】第３の実施形態を示し、指先部の形状の他の変形例を説明する図である。
【図６】第４の実施形態を示し、指先部の形状のその他の変形例を説明する図である。
【符号の説明】
【００１７】１０  中底
１１  中底本体部
１２  指先部
２０  使用者
２１  使用者の指先部
２２  中足骨骨頭（指の付け根）
【図１】
2008023292.tif 000003
【図２】
2008023292.tif 000004
【図３】
2008023292.tif 000005
【図４】
2008023292.tif 000006
【図５】
2008023292.tif 000007
【図６】
2008023292.tif 000008